【手続補正書】
【提出日】平成22年7月5日(2010.7.5)
【手続補正１】
【補正対象書類名】明細書
【補正対象項目名】発明の名称
【補正方法】変更
【補正の内容】
【発明の名称】接続用アダプター、光断層画像撮像装置、撮像処理を実行させるプログラム
【手続補正２】
【補正対象書類名】明細書
【補正対象項目名】０００１
【補正方法】変更
【補正の内容】
【０００１】
本発明は、接続用アダプター、光断層画像撮像装置、撮像処理を実行させるプログラムに関し、特に眼科診療等に用いられる光断層画像撮像装置に用いられる接続用アダプターに関するものである。
【手続補正３】
【補正対象書類名】明細書
【補正対象項目名】０００６
【補正方法】変更
【補正の内容】
【０００６】
本発明は、上記課題に鑑み、設置スペースが小さく、調整容易な構成であって、利用効率の高い光断層画像撮像装置を構成することが可能となる接続用アダプター、光断層画像撮像装置、撮像処理を実行させるプログラムの提供を目的とする。
【手続補正４】
【補正対象書類名】明細書
【補正対象項目名】０００７
【補正方法】変更
【補正の内容】
【０００７】
本発明のアダプターは、
被検眼の眼底の表面画像を取得するカメラ部が着脱可能な眼底カメラ本体部と該カメラ部との間に介在し、且つ該眼底カメラ本体部と該カメラ部とが着脱可能なアダプターであって、
前記眼底カメラ本体部からの戻り光を前記眼底の断層画像を取得する断層画像取得手段に導光する第１の導光手段と、
前記眼底カメラ本体部からの戻り光を前記カメラ部に導光する第２の導光手段と、
前記眼底カメラ本体部からの戻り光の光路を前記第１の導光手段と前記第２の導光手段とに分岐する分岐手段と、
前記眼底カメラ本体部及び前記カメラ部との通信を行う通信手段と、
を有することを特徴とする。
また、本発明の光断層画像撮像装置は、被検眼の眼底の表面画像を取得するカメラ部と、
前記カメラ部が着脱可能な眼底カメラ本体部と、
前記カメラ部と前記眼底カメラ本体部との間に介在し、前記カメラ部と前記眼底カメラ本体部とが着脱可能な請求項１乃至６のいずれか１項に記載のアダプターと、
前記アダプターにおける前記第１の導光手段から導光された前記戻り光により前記断層画像を撮像する断層画像撮像手段と、
を有することを特徴とする。
また、本発明のプログラムは、上記光断層画像装置に備えられたコンピュータに、該光断層画像装置における撮像処理を実行させることを特徴とする。
【手続補正５】
【補正対象書類名】明細書
【補正対象項目名】０００８
【補正方法】変更
【補正の内容】
【０００８】
本発明によれば、利用効率の高い光断層画像撮像装置を構成することが可能となる光断層画像撮像装置に用いられる接続用アダプター、光断層画像撮像装置、撮像処理を実行させるプログラムを実現することができる。
【手続補正６】
【補正対象書類名】明細書
【補正対象項目名】００１０
【補正方法】変更
【補正の内容】
【００１０】
以下に、本発明の実施形態について説明する。
本実施形態においては、上記した本発明の構成を適用して、例えば、次の（１）〜（２５）のような接続用アダプター（図１の４００）、光断層画像撮像装置（図１の２００）を構成することができる。
（１）本実施形態の接続用アダプターは、図１に示されるように、
被検体である眼底の断層画像を撮像する光断層画像撮像装置における眼底カメラ本体部（３００）と、該眼底カメラ本体部に取り付けられる前記眼底の表面画像を撮像するカメラ部（５００）との間に介在し、該眼底カメラ本体部と該カメラ部とを着脱可能に接続するように構成される。
具体的には、前記眼底カメラ本体部から導光された前記断層画像を撮像するための断層画像測定光を、断層画像撮像部（図１（ａ）の１００に示す断層画像撮像手段を構成するＯＣＴ撮像部）に導光する第１の導光手段（断層画像撮像用の光路３５１−１）と、前記眼底カメラ本体部から導光された前記眼底の表面画像を撮像するための眼底画像測定光を、前記カメラ部に導光する第２の導光手段（眼底画像撮像用の光路３５１−２）と、を備えている。
その際、前記眼底カメラ本体部は、前記断層画像を撮像するための断層画像測定光と、前記眼底の表面画像を撮像するための眼底画像測定光とを導光するため、つぎのように構成することができる。
例えば、図２（ａ）に示される眼底カメラ本体部３００において、光路３５１におけるミラー３０６、フィールドレンズ３２２、ミラー３０７、リレーレンズ３０８によって、これらを導光するように構成することができる。
また、上記第１の導光手段は、例えば図２（ａ）に示されるダイクロイックミラー４０５（分岐手段）を介して分割される光路３５１−１、リレーレンズ４０７等により構成される。
また、上記第２の導光手段は、例えば図２（ａ）に示されるダイクロイックミラー４０５を介して分割される光路３５１−２、リレーレンズ４０６等により構成される。
このように構成した接続用アダプターを用いることにより、既存の眼底カメラにＯＣＴ装置の機能を追加することが可能になり、スペースの利用効率が高く、採算性の高いＯＣＴ装置を実現することが可能になる。
（２）前記第１の導光手段は、走査光学系（図２（ａ）のＸＹスキャナ４０８）を含んだ構成とすることができる。
これにより、前記第１の導光手段から前記断層画像撮像部への導光を容易に行えるようにすることができる。
また、このような走査光学系を接続用アダプターの内部に設置する構成を採ることで、前記走査光学系の調整の手間を最小限にすることが可能となる。
（３）本実施形態の接続用アダプターは、前記第１の導光手段と前記第２の導光手段とに前記断層画像測定光と前記眼底画像測定光の少なくとも何れかを分岐して導光するビームスプリッター（図２（ａ）のダイクロイックミラー４０５）を備えた構成とすることができる。
これにより、カメラ部へ眼底画像測定光を導光する光路（第２の導光手段）と、断層画像撮像部へ断層画像測定光を導光する光路（第１の導光手段）とに効率的に分岐することが可能になる。
また、眼底画像測定光あるいは断層画像測定光を偏光状態や波長によって分岐することが可能になる。そのため、例えば、眼底画像を可視光、断層画像を赤外光でそれぞれ取得することが可能になる。
（４）本実施形態の接続用アダプターは、前記眼底カメラ本体部と前記カメラ部との間で電気信号の中継を行う電気信号中継手段（図２（ａ）のパソコン１２５によって構成される通信手段）を備えている構成とすることができる。
これにより、眼底画像の撮像時に前記眼底カメラ本体部と前記カメラ部との間で、電気的に情報を通信することが可能になり、容易に同期をとることが可能になる。
（５）本実施形態の接続用アダプターは、前記被検体である眼に注視させるための固視灯（図２（ａ）の４０１）を備えている構成とすることができる。
これにより、ブレの少ない眼底画像と断層画像とを取得することが可能になる。
（６）本実施形態の接続用アダプターは、前記第１の導光手段と前記第２の導光手段との少なくとも何れかと前記固視灯との光路中に、クイックリターンミラー（図２（ａ）の４０４）を備えている構成とすることができる。
これにより、前記被検眼からの眼底画像測定光あるいは断層画像測定光を効率よく、カメラ部あるいは断層画像撮像部に導くことが可能となる。
（７）本実施形態の接続用アダプターは、前記被検体である眼の位置合わせに用いるエリアセンサ（図２（ａ）の４０２）を備え、前記エリアセンサが取得した画像情報を画像表示手段へ出力可能に構成することができる。
これにより、位置合わせを効率的に行うことができ、所望の部位の眼底画像と断層画像とを容易に取得することが可能となる。
（８）前記第１の導光手段と前記第２の導光手段との少なくとも何れかと前記エリアセンサとの光路中に、クイックリターンミラー（図２（ａ）の４０４）を備えている構成とすることができる。
これにより、前記被検眼からの眼底画像測定光あるいは断層画像測定光を効率よく、カメラ部あるいは断層画像撮像部に導くことが可能となる。
（９）本実施形態の接続用アダプターは、走査光学系（図２（ａ）のＸＹスキャナ４０８によって構成される走査手段）、または固視灯（図２（ａ）の４０１）、または前記エリアセンサ（図２（ａ）の４０２）を制御する電子回路（図２（ａ）の３５５、３５６）を備える。
そして、該電子回路は独立した電源（図２（ａ）の３５３）から供給される電力により駆動可能に構成することができる。
これにより、接続用アダプター内のクイックリターンミラーや固視灯、ＸＹスキャナ等を容易に制御することが可能になる。
（１０）本実施形態の接続用アダプターは、前記眼底カメラ本体部と前記接続用アダプターとのそれぞれの位置を調整する位置調整手段を備えている構成とすることができる。
これにより、前記眼底カメラ本体部と前記接続用アダプターとの位置を調整し、前記接続用アダプターを様々な前記眼底カメラ本体部に取り付けることが可能になる。
（１１）本実施形態の接続用アダプターは、前記眼底カメラ本体部と前記接続用アダプターとのそれぞれの光軸の位置関係を調整する光軸調整手段を備えている構成することができる。
これにより、前記眼底カメラ本体部と前記接続用アダプターとの光軸を同一軸上に配置するよう調整することが可能となる。
また、前記接続用アダプターを様々な前記眼底カメラ本体部に取り付けることが可能になる。
（１２）本実施形態の接続用アダプターは、前記断層画像測定光の焦点位置を調整する手段（図２（ａ）の４０９）を有することで、断層画像測定光を被検体の所望の位置に集光するように、焦点位置を調整することが可能となる。また、該焦点位置は眼底カメラの焦点位置とは独立して調整できる。
（１３）本実施形態の接続用アダプターは、前記ビームスプリッターが、断層画像測定光の波長の一部を第２の導光手段に導光することでカメラ部側に断層画像測定光の一部を導光して、カメラ部側から断層画像測定光を光軸調整時に参照することができる。
（１４）本実施形態の光断層画像撮像装置は、被検体である眼底の断層画像を撮像する光断層画像撮像装置における眼底カメラ本体部（図１の３００）と、
該眼底カメラ本体部に取り付けられる前記眼底の表面画像を撮像するカメラ部（図１の５００）と、
前記眼底カメラ本体部とカメラ部との間に介在し、該眼底カメラ部と該カメラ部とを接続するために上記したいずれかに記載の接続用アダプターによって構成された接続用アダプター（図１（ａ）の４００）と、
前記接続用アダプターにおける第３の導光手段から導光された前記断層画像測定光により前記断層画像を撮像する断層画像撮像部（図１（ａ）の１００）と、を有する構成とすることができる。
このような構成により、既存の眼底カメラにＯＣＴ装置の機能を追加することが可能になり、スペースの利用効率が高く、採算性の高いＯＣＴ装置を実現することが可能になる。
その際、光断層画像装置に備えられたコンピュータに、該光断層画像装置における撮像処理を実行させるプログラムを作製し、該プログラムを記憶媒体に格納して該コンピュータが読み取り可能な構成を採ることができる。
（１５）本実施形態の光断層画像撮像装置は、前記眼底カメラ本体部、前記断層画像撮像部、前記カメラ部、および前記接続用アダプターのうちの、少なくとも２つ以上の構成部に共通の電源（図２（ａ）の３５３）から電力が供給可能に構成することができる。
このような構成により、外部からの電源供給の配線を簡単にすることができる。
（１６）本実施形態の光断層画像撮像装置は、前記眼底カメラ本体部が前記接続用アダプターに取り付けられた際に、前記眼底カメラ本体部が有するクイックリターンミラー（図２（ａ）の、３１８、４０４）の制御が可能に構成することができる。
このような構成により、撮像時に、前記眼底カメラ本体部と前記接続用アダプターとにそれぞれ設置されている前記クイックリターンミラーの一方を選択して使用することが可能になる。
（１７）本実施形態の光断層画像撮像装置は、前記カメラ部で取得する眼底画像と前記断層画像撮像部で取得する断層画像との位置関係を対応付けて表示する画像表示手段（図２（ａ）、（ｂ）、図３、のパソコン１２５）を有する構成とすることができる。
このように、前記カメラ部で取得する眼底画像と前記断層画像部で取得する断層画像との位置関係を対応付けて表示することで、被検眼の状態の把握が容易になる。また、３次元画像を作成することが可能になる。
（１８）本実施形態の光断層画像撮像装置は、前記断層画像撮像部が分散補償手段（図３の分散補償用ガラス１１５）を有する構成とすることができる。
このような構成により、前記眼底カメラ本体部と前記断層画像撮像部との光学的分散のずれを補償することができる。
また、何れの眼底カメラ本体部に対しても、分散補償を行うことが可能になる。
（１９）本実施形態の光断層画像撮像装置は、前記眼底カメラ本体部と前記接続用アダプターとのそれぞれの位置を調整する位置調整手段を有する構成とすることができる。
これにより、前記眼底カメラ本体部と前記接続用アダプターとの位置を調整し、前記接続用アダプターを様々な前記眼底カメラ本体部に取り付けることが可能になる。
（２０）本実施形態の光断層画像撮像装置は、前記眼底カメラ本体部と前記接続用アダプターとのそれぞれの光軸の位置関係を調整する光軸調整手段を有する構成とすることができる。
これにより、前記眼底カメラ本体部と前記接続用アダプターとの光軸を同一軸上に配置するよう調整することが可能となる。
また、前記接続用アダプターを様々な前記眼底カメラ本体部に取り付けることが可能になる。
（２１）本実施形態の光断層画像撮像装置は、前記眼底カメラ本体部と前記接続用アダプターと前記カメラ部と前記断層画像撮像部との少なくとも何れかが、共通の制御装置から制御されることで、上記各構成の間での同期が取りやすくなる。例えば、焦点位置の調整と撮像のタイミングとを同期することが容易になる。
（２２）本実施形態の光断層画像撮像装置は、前記ビームスプリッターが、断層画像測定光の波長の一部を第２の導光手段に導光する。このことによりアダプターのカメラ部側から断層画像測定光の位置を観察できるようになり、断層画像測定光の光軸調整の参照に利用できる。
（２３）本実施形態の光断層画像撮像装置は、前記眼底カメラ本体部内に眼底位置に対して光学的にほぼ共役な眼底共役面（図５（ａ）の６０１）を持つ。このことで眼底カメラ本体部が長い光路を持つものであっても、前記眼底共役面を参照して調整することで調整が容易となる。
（２４）本実施形態の光断層画像撮像装置は、前記眼底共役面に眼底カメラ本体部の光軸を指示するためのチャート（図５（ａ）の８０１）を挿入可能に備える。このことより断層画像測定光の光軸調整がより正確かつ簡便となる。
（２５）本実施形態の光断層画像撮像装置は、前記カメラ部が断層画像測定光の少なくとも一部の波長に感度がある。このことより断層画像測定光の光軸調整時の観察が、カメラ部を用いて行うことができ、特別な観察用の治工具などが不要となる。
【手続補正７】
【補正対象書類名】明細書
【補正対象項目名】００１３
【補正方法】変更
【補正の内容】
【００１３】
また、カメラ部５００が眼底カメラ本体部３００に着脱可能に構成され、図１（ｂ）に示されるように、眼底カメラ本体部３００に接続用アダプター４００を介さずにカメラ部５００を取り付け、これらにより１つの眼底カメラ７００を構成することができる。
このように構成された眼底カメラ７００において、カメラ部５００を眼底カメラ本体部３００から取り外し、カメラ部５００と眼底カメラ本体部３００との間に接続用アダプター４００を取り付ける。
これにより、カメラ部５００を備えたＯＣＴ装置２００を構成することができる。
ここで、カメラ部５００としては、既存の一般的に用いられている汎用のデジタル一眼レフカメラ等が用いられる。
このカメラ部５００と、接続用アダプター４００あるいは眼底カメラ本体部３００とは、汎用のカメラマウントで取り付けられるように構成されている。
【手続補正８】
【補正対象書類名】明細書
【補正対象項目名】００３５
【補正方法】変更
【補正の内容】
【００３５】
つぎに、本実施例における接続用アダプター４００の構成について図５（ａ）を用いて説明する。
接続用アダプター４００は光路３５１をビームスプリッターであるところのダイクロイックミラー４０５を介して、断層画像撮像用の光路３５１−１と眼底画像撮像用の光路３５１−２とに分割する。
なお、ダイクロイックミラー４０５は断層画像用の光Ｂ１の大部分を反射し、一部を透過する特性を持っている。
また、眼底画像撮像用の光Ｂ２は断層画像撮像用の光路３５１−１にはほとんど導かない特性を持つ。
具体的には断層画像撮像用の光源１０１の波長である８０５〜８５５ｎｍの波長の光については大部分を反射し、一部を透過する。眼底画像撮像用の可視域の波長の光についてはほぼ全体を透過し、反射はほとんど無い特性としている。
ここで、４０６、４０７はリレーレンズ、４０８はＸＹスキャナ、４０９はコリメートレンズである。コリメートレンズ４０９は光軸方向に移動可能であり、断層画像取得手段からの測定光の焦点位置を眼底の深さ方向に調整する。ここでは、リレーレンズ４０６は実施例２と同様に移動可能に保持され、細かな位置調整を行うことで、光路３５１−２の光軸を調整することができる。
ＸＹスキャナ４０８、リレーレンズ４０７、コリメートレンズ４０９、コネクタ４１０は一体のユニット４５１として構成され、このユニット４５１をダイクロイックミラー４０５に対して移動可能とすることで光路３５１−１の光軸を調整することができる。
また、カメラ部５００において、エリアセンサ５０１は断層画像撮像用の光源１０１の波長の少なくとも一部に感度があるように設けられる。
またカメラ部５００には表示部５０２が設けられており、エリアセンサ５０１上に投影された画像を表示できる。
【手続補正９】
【補正対象書類名】特許請求の範囲
【補正対象項目名】全文
【補正方法】変更
【補正の内容】
【特許請求の範囲】
【請求項１】
被検眼の眼底の表面画像を取得するカメラ部が着脱可能な眼底カメラ本体部と該カメラ部との間に介在し、且つ該眼底カメラ本体部と該カメラ部とが着脱可能なアダプターであって、
前記眼底カメラ本体部からの戻り光を、前記眼底の断層画像を取得する断層画像取得手段に導光する第１の導光手段と、
前記眼底カメラ本体部からの戻り光を前記カメラ部に導光する第２の導光手段と、
前記眼底カメラ本体部からの戻り光の光路を前記第１の導光手段と前記第２の導光手段とに分岐する分岐手段と、
前記眼底カメラ本体部及び前記カメラ部との通信を行う通信手段と、
を有することを特徴とするアダプター。
【請求項２】
前記眼底カメラ本体部が、光路から挿脱可能なクイックリターンミラーを含み、
前記第１の導光手段が、前記眼底と共役の位置に設けられ且つ前記断層画像取得手段からの測定光を走査する走査手段を含み、
前記通信手段からの信号により前記クイックリターンミラーと前記走査手段とを制御して、該クイックリターンミラーの離脱状態で前記測定光を走査することを特徴とする請求項１に記載のアダプター。
【請求項３】
前記分岐手段が、ダイクロイックミラーであることを特徴とする請求項１または請求項２に記載のアダプター。
【請求項４】
前記被検眼に注視させるための固視灯と、
前記被検眼の位置合わせに用いるエリアセンサと、
前記第１の導光手段あるいは前記第２の導光手段と、
前記固視灯との光路中に設けられるクイックリターンミラーと、
を備え、
前記エリアセンサが取得した画像情報を画像表示手段へ出力可能に構成されていることを特徴とする請求項１乃至３のいずれか１項に記載のアダプター。
【請求項５】
前記断層画像取得手段からの測定光の焦点位置を前記眼底の深さ方向に調整する手段と、
前記断層画像取得手段と前記第１の導光手段とを光ファイバーを介して光学的に接続し、且つ光軸方向あるいは該光軸方向に略垂直な方向に移動するコネクタと、
を有することを特徴とする請求項１乃至４のいずれか１項に記載のアダプター。
【請求項６】
電力で駆動される電子回路を有し、
前記電力が前記眼底カメラ本体部とは独立した電源から供給されることを特徴とする請求項１乃至５のいずれか１項に記載のアダプター。
【請求項７】
被検眼の眼底の表面画像を取得するカメラ部と、
前記カメラ部が着脱可能な眼底カメラ本体部と、
前記カメラ部と前記眼底カメラ本体部との間に介在し、前記カメラ部と前記眼底カメラ本体部とが着脱可能な請求項１乃至６のいずれか１項に記載のアダプターと、
前記アダプターにおける前記第１の導光手段から導光された前記戻り光により前記断層画像を取得する断層画像取得手段と、
を有することを特徴とする光断層画像撮像装置。
【請求項８】
前記眼底カメラ本体部の前記眼底に対して光学的に略共役な位置に挿脱可能に設けられ、前記断層画像取得手段からの測定光を反射する部材に形成された該眼底カメラ本体部の光軸を示す指標を含むチャートを有することを特徴とする請求項７に記載の光断層画像撮像装置。
【請求項９】
前記アダプターに設けられ、前記チャートを前記位置に挿入した場合に前記カメラ部で取得した前記指標による指標像と、前記測定光が前記チャートで反射した反射像との位置合わせを行う位置合わせ手段を有することを特徴とする請求項８に記載の光断層画像撮像装置。
【請求項１０】
前記カメラ部は、前記断層画像取得手段に導かれる光の少なくとも一部の波長に感度を持つように設けられたエリアセンサを有し、
前記位置合わせ手段が、前記測定光を走査し且つ前記第１の導光手段の前記眼底と共役の位置に設けられた走査手段を有する前記分岐手段に対して移動する機構を有することを特徴とする請求項９に記載の光断層画像撮像装置。
【請求項１１】
被検眼の眼底の表面画像を取得するカメラ部と、
前記カメラ部が着脱可能な眼底カメラ本体部と、
前記眼底の断層画像を取得する断層画像取得手段と、
前記カメラ部と前記眼底カメラ本体部との間に介在し、前記カメラ部と前記眼底カメラ本体部とが着脱可能なアダプターと、
前記アダプターに設けられ、前記眼底カメラ本体部からの戻り光を前記断層画像取得手段に導光する第１の導光手段と、
前記アダプターに設けられ、前記眼底カメラ本体部からの戻り光を前記カメラ部に導光する第２の導光手段と、
前記アダプターに設けられ、前記眼底カメラ本体部からの戻り光の光路を前記第１の導光手段と前記第２の導光手段とに分岐する分岐手段と、
前記眼底カメラ本体部の前記眼底に対して光学的に略共役な位置に挿脱可能に設けられ、前記断層画像取得手段に導かれる光を反射する部材に形成された該眼底カメラ本体部の光軸を示す指標を含むチャートと、
を有することを特徴とする光断層画像撮像装置。
【請求項１２】
前記アダプターに設けられ、前記チャートを前記位置に挿入した場合に前記カメラ部で取得した前記指標による指標像と、前記断層画像取得手段からの測定光が前記チャートで反射した反射像との位置合わせを行う位置合わせ手段を有することを特徴とする請求項１１に記載の光断層画像撮像装置。
【請求項１３】
請求項７乃至１２のいずれか１項に記載の光断層画像装置に備えられているコンピュータに、該光断層画像装置における撮像処理を実行させることを特徴とするプログラム。
【請求項１４】
被検眼の眼底画像を撮る眼底カメラの本体部に着脱可能なアダプターであって、
前記本体部の光路に設けられ、該光路から挿脱可能なクイックリターンミラーと、
前記被検眼の断層画像を取得する断層画像取得手段からの測定光を走査し、且つ前記本体部からの戻り光のうち少なくとも一部の光を該断層画像取得手段に導光する光路の前記眼底と共役の位置に設けられた走査手段と、
前記クイックリターンミラー及び前記走査手段を制御して、該クイックリターンミラーの離脱状態で前記測定光を走査する制御手段と、
を有することを特徴とするアダプター。